(57)【特許請求の範囲】
【請求項１】
両側に対向する一対の脚部材間の上端間に、前記上部ハンガーパイプを架設し，かつ下端間に下部パイプを架設され自立しうるフレームと、このフレームを覆う開閉可能なカバーとからなり、
前記カバーの前面で上部の位置に、前後に位置調整自在なアウトハンガーバーを設けるとともに、
該アウトハンガーバーは、前記脚部材の間隔に見合う長さを有する横長水平部の両端に水平の腕部を連ねて形成し、かつフレームに設けた支持パイプに、前記両端の腕部を前後に移動自在に挿入することによりこのアウトハンガーバーは前後に位置調整自在としたことを特徴とする衣類ハンガー。
【請求項２】
上部ハンガーパイプと下部パイプの間に中間縦パイプを該上部ハンガーパイプと下部パイプの長さ方向に移動自在となるよう架設し、この中間縦パイプと一方脚部材の間に、長さの調整が自在となる下部ハンガーパイプを架設して形成されたことを特徴とする請求項１記載の衣類ハンガー。
【請求項３】
両側に対向する一対の脚部材間の上端間に、前記上部ハンガーパイプを架設し，かつ下端間に下部パイプを架設され自立しうるフレームと、このフレームを覆う開閉可能なカバーとからなり、
前記カバーの前面で上部の位置に、前後に位置調整自在なアウトハンガーバーを設けるとともに、
前記上部ハンガーパイプと下部パイプの間に中間縦パイプを該上部ハンガーパイプと下部パイプの長さ方向に移動自在となるよう架設し、この中間縦パイプと一方脚部材の間に、長さの調整が自在となる下部ハンガーパイプを架設して形成されている衣類ハンガー。
【請求項４】
前記フレームと、このフレームを覆うカバーを幅寸法の調整が自在としたことを特徴とする請求項１又は３記載の衣類ハンガー。
【発明の詳細な説明】
【０００１】
【発明の属する技術分野】
この発明は、室内に設置しておき、ハンガーに吊るした衣類を収納する衣類ロッカーや衣類クローゼットの如き衣類ハンガーに関する。
【０００２】
【従来の技術】
室内に設置して衣類を収納する衣類ロッカーや衣類クローゼットの如き衣類ハンガー（以下単に衣類ハンガーという）は、室内の空間を利用して衣類を効率的に美しく収納出来るという利点があり、各家庭で広く用いられている。
【０００３】
上記衣類ハンガーは、金属製パイプを用いて自立するように組み立てたフレームと、このフレームを覆う開閉自在のカバーの組み合わせを基本的な構成とし、フレームにハンガーを吊り下げるハンガーパイプが設けられている。
【０００４】
従来の衣類ハンガーにおけるフレームとして、両側に対向する一対の脚部材間の上部にハンガーパイプを設け、中間部に短い衣類を吊り下げるための下部ハンガーを固定的に設けたものが提案されている。
また、衣類ハンガーの前面上部に、衣類を一時的に掛けるためのリングやバーを吊り下げ状に設け、着替えが便利に行えるようにしたものもある。
【０００５】
【発明が解決しようとする課題】
ところで、季節によって着用する衣類は変化し、例えば、冬季は長くて厚手の衣類が、また、夏期には薄くて短い衣類が多用され、これら衣類を収納する衣類ハンガーにおいては、季節によって収納する衣類の長いものと短いものの比率が変化するが、上記従来のように、短い衣類を吊り下げるための下部ハンガーを固定的に設けた構造では、長短衣類の収納スペースの変化が不可能であるため、季節に応じた衣類の変化に対応できないという不便がある。
【０００６】
また、従来の衣類ハンガーにおいて、前面上部に設けたリングやバーは、カバーの前面に重なり状になっているため、ハンガーを掛けにくいだけでなく、吊り下げた衣類がカバーに重なり、吊りかけ及び取り外し操作が行いにくいと共に、衣類を多く吊り下げることができないという問題がある。
【０００７】
そこで、この発明の課題は、長短衣類の収納スペースの変化を可能とし、季節に応じた衣類の収納が行えると共に、着替えのために衣類を一時的に掛ける場合の着脱作業が円滑に行え、衣類を多く吊り下げることができる衣類ハンガーを提供することにある。
【０００８】
【課題を解決するための手段】
上記のような課題を解決するため、請求項１の発明は、両側に対向する一対の脚部材間の上端間に、前記上部ハンガーパイプを架設し，かつ下端間に下部パイプを架設され自立しうるフレームと、このフレームを覆う開閉可能なカバーとからなり、前記カバーの前面で上部の位置に、前後に位置調整自在なアウトハンガーバーを設けている。
【０００９】
さらに請求項１の発明は、前記アウトハンガーバーは、前記脚部材の間隔に見合う長さを有する横長水平部の両端に水平の腕部を連ねて形成し、かつフレームに設けた支持パイプに、前記両端の腕部を前後に移動自在に挿入することによりこのアウトハンガーバーは前後に位置調整自在としたことを特徴とする。
【００１０】
請求項２の発明は、上部ハンガーパイプと下部パイプの間に中間縦パイプを該上部ハンガーパイプと下部パイプの長さ方向に移動自在となるよう架設し、この中間縦パイプと一方脚部材の間に、長さの調整が自在となる下部ハンガーパイプを架設して形成されている。
【００１１】
請求項３の発明は、両側に対向する一対の脚部材間の上端間に、前記上部ハンガーパイプを架設し，かつ下端間に下部パイプを架設され自立しうるフレームと、このフレームを覆う開閉可能なカバーとからなり、前記カバーの前面で上部の位置に、前後に位置調整自在なアウトハンガーバーを設けるとともに、前記上部ハンガーパイプと下部パイプの間に中間縦パイプを該上部ハンガーパイプと下部パイプの長さ方向に移動自在となるよう架設し、この中間縦パイプと一方脚部材の間に、長さの調整が自在となる下部ハンガーパイプを架設して形成されている衣類ハンガーである。
【００１２】
請求項４に係る発明は、前記フレームと、このフレームを覆うカバーを幅寸法の調整が自在としたことを特徴とする。
【００１３】
ここで、両側に対向する一対の脚部材は、上端が天枠で結合され、この天枠の両側下部にアウトハンガーバーの両端を前後に可動となるよう支持するパイプが固定され、アウトハンガーバーは水平状態でスライドし、パイプに固定した調整ノブの締めつけによって固定することができる。
【００１４】
【発明の実施の形態】
以下、この発明の実施の形態を図示例と共に説明する。
【００１５】
図示のように、第１の実施形態の衣類ハンガー１は、金属製パイプを主体に用いて自立するように組み立てたフレーム２と、このフレーム２を覆うように装着するカバー３との組み合わせによって構成され、該カバー３の前面側で上部の位置にアウトハンガーバー４がフレーム２への取り付けによって、前後に位置調整自在となるよう装着されている。
【００１６】
フレーム２は、両側に対向する一対の脚部材５、６と、両脚部材５、６の上端を結合する天枠７と、両脚部材５、６の上端間に架設した上部ハンガーパイプ８と、両脚部材５、６の下端間に架設した下部パイプ９と、上部ハンガーパイプ８と下部パイプ９の間に架設した中間縦パイプ１０と、この中間縦パイプ１０と一方脚部材５の間に架設した下部ハンガーパイプ１１とで組み立てられている。
【００１７】
上記一対の脚部材５、６は、中間部で着脱自在に接続した上下に長い縦パイプ１２の下端に前後方向に向くベースパイプ１３を直角に固定し、該ベースパイプ１３の両端に高さ調整用の接地ノブ１４を設けて形成され、天枠７はパイプを用いて分解可能な横長の矩形状に形成され、両側の中央部分を縦パイプ１２、１２の上端とビス止め等の手段によって固定することにより、水平状態で両脚部材５、６の上端を結合している。
【００１８】
上記上部ハンガーパイプ８は、両縦パイプ１２、１２の上端部間に、また、下部パイプ９は両縦パイプ１２、１２の下端部間に各々ビス止め等の手段で水平状態となるよう、着脱自在に架設され、中間縦パイプ１０は、上部ハンガーパイプ８と下部パイプ９の各々に装着したスライドジョイント１５、１５に上下端部が支持され、上部ハンガーパイプ８及び下部パイプ９の軸方向に沿って移動自在になっている。
【００１９】
下部ハンガーパイプ１１は、大径パイプ１１ａと小径パイプ１１ｂを伸縮自在に嵌め合わせて形成され、上部ハンガーパイプ８と下部パイプ９の上下略中間に位置するよう中間縦パイプ１０と一方脚部材５の間に水平状態で着脱自在に架設されている。
この下部ハンガーパイプ１１は、大径パイプ１１ａの端部に設けたねじ式の調節ノブ１６によって長さの調節が自在となると共に、調節後に長さの固定化が行え、この下部ハンガーパイプ１１の長さを調節することにより、下部ハンガーパイプ１１に対する短い衣類の吊り下げ範囲と、上部ハンガーパイプ８の長い衣類の吊り下げ範囲の比率を変化させることができる。
【００２０】
前記アウトハンガーバー４は、一対の脚部材５、６の間隔に見合う長さを有する横長水平部１８の両端に上向きの屈曲部１９を設け、この屈曲部１９の上端に後方に向かう水平の腕部２０を連ねて形成し、図示省略したが水平部１８にスポンジ等の弾性滑り止め部材が巻着してある。
【００２１】
前記天枠７の両側で下面の位置に前後方向に向く支持パイプ２２が固定され、アウトハンガーバー４は上記腕部２０をこの支持パイプ２２に挿入することにより、前後に移動自在となるよう支持され、支持パイプ２２の先端に設けたねじ式の調節ノブ２３によって前後の位置が固定化される。
【００２２】
前記フレーム２を覆うように装着するカバー３は、各種布地やシート、不織布、レース地等を用い、該フレーム２の上面から周囲四面を覆うことができ、かつ、前面側がファスナー２４等やカーテン方式により開閉でき、フレーム２内に対する衣類の出し入れが支障なく行えるように形成され、前面側の上部両隅には、アウトハンガーバー４の腕部２０を支持パイプ２２に挿入するための孔が設けられている。
【００２３】
したがって、アウトハンガーバー４の水平部１８はフレーム２に装着したカバー３の前面側上部に位置し、前後に位置調整自在となると共に、フレーム２に対してアウトハンガーバー４は着脱自在なる。
【００２４】
次に、衣類ハンガーの第２の実施形態を説明する。
この第２の実施形態の衣類ハンガーは、フレームと、このフレームを覆うように装着するカバーと、該カバーの前面側で上部の位置に前後に位置調整自在となるよう設けるアウトハンガーバーで構成される基本的な構造が第１の実施形態と同じであるので図示省略したが、フレームとカバー及びアウトハンガーバーを幅方向の寸法が調整可能とし、衣類の増減や設置スペースに対応して横幅を調整できるようにしたものである。
【００２５】
具体的には、図１乃至図３を参照して説明すると、フレーム２を構成する天枠７の前後位置と上部ハンガーパイプ８及び下部パイプ９の各々を横幅方向に伸縮自在とし、アウトハンガーバー４も水平部１８の長さを伸縮自在とする。
これらの、伸縮自在の構造は、それぞれの部分を大径パイプと小径パイプの嵌合による組み合わせによって構成することによって得ることができ、調整後は締めつけビスにより嵌合部分を固定化できるようにすればよい。
【００２６】
また、カバーは、フレームを最大の横幅に設定したとき、このフレームを覆える大きさの横幅に縫製しておき、フレームの横幅を狭く設定したときは、端部や中間の部分で余った分を折り込むことによって対応することができる。
この第２の実施形態においても、図２で示したように、上部ハンガーパイプ８と下部パイプ９の間に中間縦パイプ１０を移動自在に設け、中間縦パイプ１０と一方脚部材５の間に、伸縮自在となる下部ハンガーパイプ１１を水平状態で着脱自在に架設し、長短衣類の収納スペースの変化を可能とした構造を採用することができる。
【００２７】
この第２の実施形態の衣類ハンガーにおいては、第１の実施形態の衣類ハンガーと同様の利点に加え、衣類の増減や設置スペースの条件に対応して横幅を調整できるという利点がある。
【００２８】
この発明の衣類ハンガー１は、上記のような構成であり、第１の実施形態においては、フレーム２の上部ハンガーパイプ８と下部ハンガーパイプ１１にハンガーを用いて衣類を吊り下げることにより収納状態とし、カバー３の前面を開閉して衣類の出し入れを行う。
【００２９】
衣類の収納において、下部ハンガーパイプ１１と上部ハンガーパイプ８の中間縦パイプ１０で区切られた一部が短い衣類の吊り下げスペースで、上部ハンガーパイプ８の残りの部分が長い衣類の吊り下げスペースとなり、下部ハンガーパイプ１１の長さを調節して中間縦パイプ１０を移動させることにより、短い衣類と長い衣類の吊り下げスペースを、収納せんとする衣類の条件に合わせて変化させることができる。
【００３０】
また、衣類を着替えるときは、前面の上部に設けたアウトハンガーバー４を手前に引き出し、その水平部１８にハンガーを介して衣類を一時的に吊り下げればよく、着替えが速やかに行えると共に、アウトハンガーバー４は前後に位置調整自在であるので、大きく引き出せば、衣類を横向きの状態で吊り下げることができ、多くの吊り下げ量を確保できて便利であり、水平部１８は横長であるので、衣類の吊り下げ位置を自由に選べ、フレーム２内への衣類の出し入れに支障を与えることがなく、また、使用しないときは、アウトハンガーバー４を押し込み位置にしておけばよく、水平部１８がカバー３に重なって突出量が少なくなり邪魔にならない。
【００３１】
更に、第２の実施形態においては、衣類ハンガーの横幅を衣類の増減や設置スペースの条件に対応して調整できる。
【００３２】
【発明の効果】
以上のように、請求項１と４の発明によると、フレームに取り付けたカバーの前面で上部の位置にアウトハンガーバーを、前後に位置調整自在となるよう設けたので、着替えのときこのアウトハンガーバーに衣類を一時的に吊り下げることができると共に、アウトハンガーバーを前方に引き出すことにより、衣類を横向きに吊り下げることができ、作業性がよいだけでなく、衣類の吊り下げ量を多く確保できて便利であり、また、使用しないときは、押し込んだ状態としておくことにより、邪魔にならない。
【００３３】
また、請求項２と３及び５の発明によると、フレームに設けたハンガーパイプを上下二段とし、下部ハンガーパイプの吊り下げ幅を調整自在としたので、長短衣類の収納スペースを季節による衣類の条件に合わせて変化させることができ、衣類の収納が季節に応じて最適の条件で行える。
さらに、請求項４の発明によると、衣類ハンガーの横幅を衣類の増減や設置スペースの条件に対応して調整することができる。
【図面の簡単な説明】
【図１】衣類ハンガーを示す斜視図
【図２】衣類ハンガーのフレームを示す斜視図
【図３】衣類ハンガーのフレームを示す正面図
【図４】図３の矢印Ａ−Ａに沿う縦断面図
【図５】図３の矢印Ｂ−Ｂに沿う横断面図
【符号の説明】
１        衣類ハンガー
２        フレーム
３        カバー
４        アウトハンガーバー
５，６    脚部材
７        天枠
８        上部ハンガーパイプ
９        下部パイプ
１０      中間縦パイプ
１１      下部ハンガーパイプ
１２      縦パイプ
１３      ベースパイプ
１５      スライドジョイント
１８      水平部
２２      支持パイプ
２３      ノブ
【図１】
0003683683.tif 000002
【図２】
0003683683.tif 000003
【図３】
0003683683.tif 000004
【図４】
0003683683.tif 000005
【図５】
0003683683.tif 000006